(57)【要約】【課題】スピーカ部よりでる振動が筐体に伝わるのを防ぐために、弾性部材をスピーカ部に取り付ける。【解決手段】スピーカ３０の取り付け部分３２のクランク部分３３に、第１の片２１と第２の片２２を有する折曲可能なゴム部材２０を取り付ける。第１の片の孔２３の周縁に係止部分２５を備え、係止部分２５がスピーカの孔３４と第２の片の孔２４を挿通し、係止部分２５が第２の片２２に係止される。【選択図】      図４
2008258754.tif 000002
【特許請求の範囲】
【請求項１】
映像を表示するディスプレイと、
音声を出力するスピーカと、
アンテナで受信されるテレビ放送信号から選択されているチャンネルのテレビ放送信号を抽出し出力するチューナと、
上記チューナが出力したテレビ放送信号に基づき、映像を上記ディスプレイに表示させ、音声を上記スピーカに出力させる映像音声処理部と、
を備えるパネル型テレビジョンであって、
上記ディスプレイの表示領域を露出させるディスプレイ開口部とスピーカを露出させるスピーカ開口部を有する前面キャビネットと、
上記スピーカは、フランジ状の取り付け部を有し、該取り付け部の両端に貫通した孔をそれぞれ２箇所ずつ有し、
上記前面キャビネットは、上記スピーカ用の開口部の両端の外側に、スピーカの中心部からスピーカの取り付け部の孔までの距離とスピーカの開口部の中心部から同じ距離離れた位置に、受けボスを有しており、
上記スピーカの取り付け部に取り付け可能な弾性部材は、２つ折り可能で、折れ曲がり部分より厚く互いに対面する第１の片と第２の片を有しており、
上記弾性部材の互いに折れ合い対面する部位であって、第１の片と第２の片の間にスピーカを挟みこんだ際に、スピーカの取り付け部の孔がある位置に、上記各片を貫通する孔があいており、
上記第２の片の孔は、上記第１の片の孔より大きく、
上記第１の片の孔の縁部から第２片に向かって立設し、先端に孔の外側への突出部分のあるフック形状である係止部分を有し、
上記係止部分は、上記スピーカの取り付け部分の孔と上記第２片の孔を挿通し、第２片の第１の片とは対面しない側に係止され、
上記弾性部材の第１片の孔を通り、上記係止部分の間を通って、上記受けボスのネジ穴に差し込まれ、スピーカ部を固定するネジを有していることを特徴とするパネル型テレビジョン。
【請求項２】
スピーカ部の取り付け部材であって、
フランジ形状の取り付け部分と該取り付け部分に貫通する孔を有するスピーカと、
２つ折り可能な弾性部材を有しており、
上記弾性部材は互いに折れ合い対面する第１の片と第２の片を有しており、
上記弾性部材の互いに折れ合い対面する部位に上記各片を貫通する孔があいており、
上記スピーカの取り付け部分は第１の片と第２の片の間に挟まれ、上記スピーカの取り付け部分の孔が上記各片の孔と略同じ位置にあり、
上記第２の片の孔は、上記第１の片の孔より大きく、
上記第１の片の孔の縁部に、第２片に向かって弾性部材でできた係止手段を有することを特徴とするスピーカ部の取り付け部材。
【請求項３】
上記弾性部材の係止手段は、上記第１の片の孔と上記第２の片の孔をネジが挿通可能となるように形成されていることを特徴とする請求項２に記載のスピーカ部の取り付け部材。
【請求項４】
上記弾性部材の係止手段は、第１の片の孔の縁部から第２片に向かって立設し、先端に孔の外側への突出部分のあるフック形状であることを特徴とする請求項２または請求項３に記載のスピーカ部の取り付け部材。
【請求項５】
上記弾性部材の係止手段は、上記フック形状のものが２つであることを特徴とする請求項４に記載のスピーカ部の取り付け部材。
【請求項６】
上記弾性部材の係止手段は、第１の片の孔の全周から第２の片に向かって立設した円筒形状であり、円筒形状の先端部分が肉厚なつば部分を形成することを特徴とする請求項２または請求項３に記載のスピーカ部の取り付け部材。
【請求項７】
上記弾性部材の係止手段は、上記先端のつば部分は最先端が第１の片の孔より小径で、徐々に外側に広がる形状であることを特徴とする請求項２または請求項３に記載のスピーカ部の取り付け部材。
【請求項８】
上記弾性部材は折れ曲がる部分が第１片および第２片よりも厚さが薄くなっていることを特徴とする請求項２〜請求項７のいずれかに記載のスピーカ部の取り付け部材。
【請求項９】
上記弾性部材は、ゴムでできている
ことを特徴とする請求項２〜請求項８のいずれかに記載のスピーカ部の取り付け部材。
【発明の詳細な説明】
【技術分野】
【０００１】
この発明は、パネル型テレビジョン及びスピーカ部の取り付け部材に関する。
【背景技術】
【０００２】
従来、スピーカを筐体に取り付ける際には、ビスでスピーカと筐体のボスとを直接共締めする構造であったため、スピーカ部より出る振動が直接筐体に伝わり、ある特定周波数において激しい共振をしていた。
そのため、広範囲にわたり振動吸収部材を筐体に貼り、びびりを抑制していた。
【０００３】
なお、スピーカの取り付けを容易に行うためにスピーカを筐体などに仮止めする際に用いる形状として、フックや爪等の形状を用いる方法が知られている。
例えば、特許文献１では、弾性フックを用いて、スピーカを取付板に取り付ける構成が開示されている。
また、特許文献２では、係止金具の弾力を用いて、スピーカを取り付け穴に取り付ける構成が開示されている。
また、特許文献３では、係止爪のある樹脂ナットを用いたスピーカの取付構造が開示されている。
【特許文献１】特開２００１−２５１６９６号公報
【特許文献２】実開平５−１１６８５号公報
【特許文献３】特開２００２−２５７１０８号公報
【発明の開示】
【発明が解決しようとする課題】
【０００４】
しかしながら、上述した特許文献１〜２に記載の技術は、係止爪を用いて、スピーカの取り付けを容易にする方法ではあるが、振動を吸収する弾性部材を用いたものではない。
また、特許文献３に記載の技術は、係止爪のあるナットを用いることで係合力を強固にするものであって、振動を吸収する弾性部材に用いたものではない。
つまり、上述した特許文献１〜３に記載の技術は、係止爪を用いた固定をすることはできるが、びびりの発生を抑制することはできない。
【０００５】
本発明は、上記課題に鑑みてなされたもので、びびりの発生を抑制するような弾性部材であって、弾性部材をスピーカに係止する手段を用いたパネル型テレビジョン及びスピーカ部の取り付け部材の提供を目的とする。
【課題を解決するための手段】
【０００６】
上記目的を達成するために、主たる発明のスピーカ部の取り付け部材は、フランジ形状の取り付け部分と該取り付け部分に貫通する孔を有するスピーカと、２つ折り可能な弾性部材を有しており、上記弾性部材は互いに折れ合い対面する第１の片と第２の片を有しており、上記弾性部材の互いに折れ合い対面する部位に上記各片を貫通する孔があいており、上記スピーカの取り付け部分は第１の片と第２の片の間に挟まれ、上記スピーカの取り付け部分の孔が上記各片の孔と略同じ位置にあり、上記第２の片の孔は、上記第１の片の孔より大きく、上記第１の片の孔の縁部に、第２片に向かって弾性部材でできた係止手段を有する構成としてある。
【０００７】
なお、ここではスピーカの取り付け部材単体での発明であるが、筐体などに組み込まれた形でも利用することができる。
本発明の他の特徴については、本明細書及び添付図面の記載により明らかにする。
【発明を実施するための最良の形態】
【０００８】
本明細書及び添付図面の記載により、少なくとも、以下の事項が明らかとなる。
【０００９】
上記主たる発明の構成について、弾性部材は二つ折りにすることで、向かい合う２つの片ができる。この２つの片の間にスピーカを挟み込むことができる。
上記主たる発明の構成のうち、係止手段について、係止手段が第２片の縁部に引っ掛かって係止されると、弾性部材同士の摩擦によって、外部から力がかからなければ、外れなくなる。
上記主たる発明の構成によれば、スピーカを筐体などに固定する前に、係止手段を用いて弾性部材をスピーカに取り付け、外力がかからなければ係止手段によって弾性部材をスピーカに留めることができる。この弾性部材でスピーカを挟むことによって、スピーカの振動が筐体に伝わるのを防ぐことができ、びびりの発生を抑えることができる。なお、スピーカへの取り付けには従来からあるスピーカのビス用の孔を利用することができることから、特別なスピーカを用意する必要がなく安価にすることができる。
【００１０】
上記弾性部材の係止手段の一例として、上記第１の片の孔と上記第２の片の孔をネジが挿通可能となるように形成されている構成とすることができる。
このように構成すると、スピーカを筐体に固定するネジが弾性部材の間を通って、筐体の受けボス等にネジ止めできるようになる。そのため、ネジがスピーカと直接触れることがなくなり、びびりの発生をより抑制することができる。
【００１１】
上記弾性部材の係止手段の一例として、第１の片の孔の縁部から第２片に向かって立設し、先端に孔の外側への突出部分のあるフック形状である構成とすることができる。
また、上記弾性部材の係止手段の一例として、上記弾性部材の係止手段は、上記フック形状のものが２つである構成とすることができる。
このように構成すると、フック形状の部分は、先端が細いので最初簡単に孔を通り抜けるが、徐々に孔の径に対して２つのフックの方が大きくなるが、フックは広がっていく部位に角度がついているため圧縮されて通ることができる。孔を通り抜けると、フックは元の形状に戻ろうとするため、その際に第２の片の第１の片に向かい合わない側に引っ掛かる。また、係止手段の孔の内部に止まる棒状の部分は、先端のフック形状の部分が孔の中にある間は、フックを通すための力がかかって孔の内側をむいているが、フックが孔を通り抜け圧縮されるなくなるとある程度直立性があるため、真っ直ぐ下側にむく。その際に先端のフック形状は孔の外側を向き、第２の片に引っ掛かる。
【００１２】
上記弾性部材の係止手段の一例として、第１の片の孔の全周から第２の片に向かって立設した円筒形状であり、円筒形状の先端部分が肉厚なつば部分を形成する構成とすることができる。
このような構成にすると、ネジなどを通した際に、円筒形状はネジが通る径の大きさしかないため、ネジを通すとは円筒形状の先端のつば部分が孔の外側に広がり、第２片の第１片と面しない側に係止される。
このような構成では、円周全体で係止するため、外れにくくなる。
【００１３】
上記弾性部材の係止手段の一例として、上記先端のつば部分は最先端が第１の片の孔より小径で、徐々に外側に広がる形状である構成とすることができる。
このような構成にすると、先端部は孔より小さいため簡単に挿入することができる。つば部分の広がった部分は、孔の径より大きいが、先端が入っているため、上から押していけば、広がったところまで斜めになっているため、弾性部材が角度を利用して伸びながら孔を進むことができる。また、円筒形状のため、内側に空間があるので、圧縮されると内側にたわむ。伸びる作用と、内側に圧縮されてたわむことで、径より太い部分も挿通可能できる。一度広いところが孔を通り抜けると、復元力によりつば部分が元の形に戻り、係止される。一度係止されると、つばの広がった部分の孔に対する角度が垂直になっているため、狭い孔に入りにくいため、また摩擦力が働くため抜けにくくなる。
【００１４】
上記弾性部材の一例として、折れ曲がる部分が第１片および第２片よりも厚さが薄くなっている構成とすることができる。
このように構成することで、他の部分よりも薄いので、折り曲げ易くなる。そのため、第１の片と第２の片が平行になりやすく、スピーカの端部に装着がしやすくなる。また、折れ曲がった部分が元に戻ろうとする力も弱くなるため、係止手段が外れにくくなる。
【００１５】
上記弾性部材の一例として、ゴムでできている構成とすることができる。
このような構成によれば、ゴムという一般的な素材を使用することで、特殊な材料を使わないため、安価にすることができる。
【００１６】
また、更に具体的な構成として、本発明のパネル型テレビジョンでは、映像を表示するディスプレイと、音声を出力するスピーカと、アンテナで受信されるテレビ放送信号から選択されているチャンネルのテレビ放送信号を抽出し出力するチューナと、上記チューナが出力したテレビ放送信号に基づき、映像を上記ディスプレイに表示させ、音声を上記スピーカに出力させる映像音声処理部とを備えるパネル型テレビジョンであって、上記ディスプレイの表示領域を露出させるディスプレイ開口部とスピーカを露出させるスピーカ開口部を有する前面キャビネットと、上記スピーカは、フランジ状の取り付け部を有し、該取り付け部の両端に貫通した孔をそれぞれ２箇所ずつ有し、上記前面キャビネットは、上記スピーカ用の開口部の両端の外側に、スピーカの中心部からスピーカの取り付け部の孔までの距離とスピーカの開口部の中心部から同じ距離離れた位置に、受けボスを有しており、上記スピーカの取り付け部に取り付け可能な弾性部材は、２つ折り可能で、折れ曲がり部分より厚く互いに対面する第１の片と第２の片を有しており、上記弾性部材の互いに折れ合い対面する部位であって、第１の片と第２の片の間にスピーカを挟みこんだ際に、スピーカの取り付け部の孔がある位置に、上記各片を貫通する孔があいており、上記第２の片の孔は、上記第１の片の孔より大きく、上記第１の片の孔の縁部から第２片に向かって立設し、先端に孔の外側への突出部分のあるフック形状である係止部分を有し、上記係止部分は、上記スピーカの取り付け部分の孔と上記第２片の孔を挿通し、第２片の第１の片とは対面しない側に係止され、上記弾性部材の第１片の孔を通り、上記係止部分の間を通って、上記受けボスのネジ穴に差し込まれ、スピーカ部を固定するネジを有している構成としてある。
更に具体的に構成された上記発明では、上述した各構成と同様の効果を奏することはいうまでもない。
【００１７】
以下、添付図面にもとづいて、本発明をテレビジョンにおいて具現化した実施例について説明する。
まず、本発明のパネル型テレビジョン装置の概略構成について説明する。
図１は、テレビジョン１００を斜め前方より見た斜視図である。同図において、テレビジョン１００は、キャビネット４０とディスプレイ１４とスピーカ３０と脚部５０とから構成されている。キャビネット４０は、ディスプレイ１４をその映像を表示する表示領域が前面側に露出されるように保持しつつ、同キャビネット内部に音声を出力するスピーカ３０が設置され、スピーカ用の開口部４５が設けられている。脚部５０は、ディスプレイ１４の表示面が略鉛直に配向するようにキャビネット４０を支持する。
【００１８】
図２は、本実施例におけるテレビジョン１００の概略構成を説明するブロック図である。なお、当該テレビジョン１００について、本願発明と直接関連しない構造については、詳細な説明、及び図示を省略する。
【００１９】
同図において、テレビジョン１００は、アンテナ１１aで受信されるテレビ放送信号から選択されているチャンネルのテレビ放送信号を抽出し出力するチューナ１１と、当該テレビ放送信号に基づき映像と音声を出力させる映像音声処理部１２と、音声を出力するスピーカ３０と、映像を表示するディスプレイ１４と、マイコン１５と、各部に電源を供給する電源回路１６とを備えている。
【００２０】
上記構成において、マイコン１５は、テレビジョン１００を構成する各部と電気的に接続しており、マイコン１５の内部構成部品としてのＣＰＵが、同じくマイコンの構成部品であるＲＯＭやＲＡＭなどに書き込まれた各プログラムに従って、テレビジョン１００を制御する。
【００２１】
次に、スピーカ部の取り付け部材について説明する。
図３は、スピーカ３０に取り付けるゴム部材２０の斜視図である。なお、ここでは、弾性部材の例として、ゴムを挙げるが、振動を抑える効果のある物質で、固定ができる程度の硬度がある物質であれば、他のものでもよい。ゴムであっても、固定ができない硬度のものは、この発明では利用しない。
【００２２】
ゴム部材２０は、２つ折り可能で、互いに対面する第１の片２１と、第２の片２２と、折り曲がる部分２６とから成り立っている。第１の片２１と第２の片２２はスピーカのクランク部分３３と略同一の大きさである。なお、折れ曲がる部分２６は、第１の片２１や第２の片２２よりも厚さが薄くなっている。そのため、折り曲げ易くなり、第１の片２１と第２の片２２が余り力をいれずに、平行になりやすく、スピーカの端部に装着がしやすくなる。また、折れ曲がった部分が元に戻ろうとする力も弱くなるため、係止手段が外れにくくなる。
【００２３】
第１の片２１と第２の片２２は、それぞれ貫通する孔２３と孔２４を有している。孔２３と孔２４は、スピーカ３０に取り付けられた際に、スピーカの孔３４と同じ位置になる。第２の片２２の孔２４は、第１の片２１の孔２３より係止手段２５が通る分だけ大きく、スピーカ３０の孔３４と略同一の大きさである。また、第１の片２１の孔２３は、ネジ６０の棒部の径と略同一である。なお、それぞれ孔の大きさはしっかりと固定をするために、孔を挿通するものが、挿通できるぎりぎりの大きさの方が好ましい。
【００２４】
図４は、ゴム部材２０を図１の逆側から見た図である。なお、この図の側がスピーカ３０に取り付けられた際に、スピーカに接する側である。
第１の片２１のスピーカに接する側２１ａには、孔２３の縁部に、折り曲げた際に第２の片２２に向かって立設し、その先端に、孔２４の外側への突出部分のあるフック形状の係止部分２５を有する。この係止部分２５は、係止手段として働く。そのフック形状の部位２５ａは、先端は孔２４の径より細く、徐々に外側に広がり、最終的には孔２４の径より大きくなり、棒状の部位２５ｂと略垂直になる。棒状の部位２５ｂは、フック形状の部位２５ａを引っ張っても切れない程度の強さを保持できる太さがあればよい。
【００２５】
図５は、スピーカの取り付け部分の斜視図である。
同図においてスピーカ３０は、スピーカの本体部分３１に、フランジ形状の取り付け部分３２を有している。クランク状になったクランク部分３３に貫通する孔３４が左右の端それぞれ２箇所ずつ設けられている。
なお、図５では、取り付け部分３２の両端がクランク部分３３を有しているが、両端は必ずしもクランク状でなくてもよく、そのまま平面であってもよい。
【００２６】
キャビネット４０は、前面キャビネット４１と後面キャビネット４２によって、構成されており、その内部にディスプレイ１４やスピーカ３０、基板（不図示）等が収容されている。
前面キャビネット４１はディスプレイ１４用の開口部の下であって、ディスプレイの左右の端部に近い位置にスピーカ用の開口部４５を設けている。スピーカ用の開口部４５は、孔があいている等、音声が外部に出力されるようになっていればよく、ディスプレイ用の開口部のように、完全に開口している必要はない。また、スピーカ３０が取り付けられると、スピーカの本体部分３１が開口部４５の位置に収まることになる。
【００２７】
前面キャビネット４１の内側には、受けボス４３がスピーカ３０の孔３４に当接する位置に設けられている。この受けボス４３は、ネジ止めする際に使われる一般的な受けボスでよい。受けボス４３には、ネジ穴と入り口部分にネジ穴より広い凹部がある。この凹部に弾性部材の係止部分２５の先端が収まる。
【００２８】
次に、ゴム部材２０をスピーカ３０への取付後に前面キャビネット４１とスピーカ３０の固定方法について説明する。図６は、スピーカ３０を固定した際の断面図である。このような状態にするために、以下の作業を行う。
まず、ゴム部材２０でスピーカ３０のクランク部分３３を挟み込むようにゴム部材２０を折り曲げる。第２の片２２がスピーカの前面キャビネットを向く側と接するように、先にクランク部分３３とあわせ、第１の片２１を折れ曲がる部分２６から折り曲げていく。第１の片２１の係止部分２５を先ずスピーカの孔３４に入れ、そのまま第２の片２２の孔２４を通していく。
【００２９】
係止部分２５の先端は孔３４および孔２４の径より細いが、徐々に孔３４及び孔２４の径より太くなっていく。しかし徐々に太くなっていくため、圧縮されながらも挿通することができる。孔２４を通り抜けると、圧力から開放された係止部分２５は元のフック形状を取り戻し、第２の片２２の第１の片と対面しない側２２ｂに係止される。係止されたフック形状の部位２５ａは、摩擦力と、係止部分の第２の片２２に接する部分が孔２４の径よりも大きいことから、外力が加わらない限り、外れない。そのため、スピーカ３０にゴム部材２０が留められる。
【００３０】
ゴム部材２０が留められたスピーカ３０を前面キャビネット４１に固定する。スピーカの孔３４が受けボス４３と合うところにスピーカをセットする。ネジ６０を孔２３から挿入し、スピーカの孔３４と孔２４を挿通し、受けボス４３のネジ穴に挿入され、固定される。ネジ６０によってスピーカ３０は前面キャビネット４１に固定される。
【００３１】
次に、変形例について説明する。
係止部分を変形したゴム部材７０について図７を用いて説明する。上述の実施形態と異なる部分のみを説明する。
ゴム部材７０は第１の片７１に孔７３と第２の片７２に孔７４を有する。第１の片の孔と第２の片の孔の大きさ等については上述の実施形態とほぼ同じであるため説明を省略する。係止部分７５は、孔７３の第２の片７２と向き合う側の全周から第２の片７２の方向へ立設した円筒形状の部位と円筒の先端部分が最初は第２の片の孔７４より径が細く徐々に孔７４よりも径が太くなるつば形状となっている。
【００３２】
ゴム部材７０でスピーカ３０のクランク部分３３を挟み込むようにゴム部材７０を折り曲げる。第２の片７２がスピーカの前面キャビネットを向く側と接するように、先にクランク部分３３とあわせ、第１の片７１を折れ曲がる部分７６から折り曲げていく。折り曲げる際に、係止部分７５が孔７４等に挿通されることになる。係止部分７５の先端部は孔７４等より小さいため簡単に挿入することができる。つば部分の広がった部分は、孔７４等の径より大きいが、先端が入っているため、上から押していけば、広がったところまで斜めになっているため、係止部分７５が角度を利用して伸びながら孔７４等を進むことができる。また、係止部分７５は、円筒形状のため、中空となっているから、つば部分を孔７４に押し入れるときに、内側にたわむことが可能であり、両方の作用で容易に押し入れることができる。一度広いところが孔を通り抜けると、復元力によりつば部分が元の形に戻り、係止される。一度係止されると、つばの広がった部分の孔に対する角度が垂直になっている一度広いところが孔７４を通り抜けると、孔に対する角度が垂直になっているため、狭い孔に入りにくいため、また摩擦力が働くため抜けにくくなる。
なお、スピーカ３０の前面筐体４１への固定方法は、上述の実施形態とほぼ同じであるため省略する。
【００３３】
次に係止手段とネジ孔が別にあるゴム部材８０について図８を用いて説明する。上述の実施形態と異なる部分のみを説明する。
ゴム部材８０は第１の片８１と第２の片８２に孔８４と第１の片８１及び第２の片８２にネジ孔８３を有する。第２の片８２の孔８４は第１の片８１の係止手段８５の円柱部分の径と略同一な径の大きさである。ネジ孔８３は、ネジが通る大きさで、第１の片８１と第２の片８２が二つ折りに折り曲げられ、向き合った際に同じ位置になる。係止手段８５は、先端部に、円錐状の部位を備えている。
【００３４】
ゴム部材８０でスピーカ３０のクランク部分３３を挟み込むようにゴム部材８０を折り曲げる。なお、本変形例では、クランク部分３３の孔は３つである。第２の片８２がスピーカの前面キャビネットを向く側と接するように、先にクランク部分３３とあわせ、第１の片８１を折れ曲がる部分８６から折り曲げていく。折り曲げる際に、係止部分８５の先端部は孔８４等より小さいため簡単に挿入することができる。円錐状の部位は徐々に径が大きくなっていき孔７４等の径より大きくなるが、先端が入っているため、上から押していけば、広がったところまで斜めになっているため、係止部分８５が角度を利用して伸びながら孔８４等を進むことができる。円錐状の部位が孔７４を通り抜けると、孔に対する角度が垂直になっているため、狭い孔に入りにくいため、また摩擦力が働くため抜けにくくなる。
なお、係止手段８５を全体的に孔７４の径よりもやや太い円柱状にしておき、無理に押し入れることで、摩擦力によって係止するようにしても良い。
【００３５】
ゴム部材８０が留められたスピーカ３０を前面キャビネット４１に固定する。ネジ孔８３が受けボス４３と合うところにスピーカ３０をセットする。ネジ６０を孔８３から挿入し、スピーカの孔３４と孔８３を挿通し、受けボス４３のネジ穴に挿入され、固定される。ネジ８０によってスピーカ３０は前面キャビネット４１に固定される。
【００３６】
なお、実施形態ではネジでスピーカを固定しているが、必ずしもネジで固定をしなければいけないわけではない。ネジ以外の方法で固定しても良いし、弾性部材の係止部分を固定できる受けボスを用いて、固定しても良い。
【００３７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３８】
【図１】本発明の実施形態にかかるパネル型テレビジョン装置の外観図である。
【図２】本発明の実施形態にかかるパネル型テレビジョン装置の概略構成ブロック図である。
【図３】本発明の実施形態にかかるゴム部材の斜視図である。
【図４】本発明の実施形態にかかるゴム部材の斜視図である。
【図５】本発明の実施形態にかかるスピーカの取り付け部分の斜視図である。
【図６】本発明の実施形態にかかるスピーカの取り付け部分の断面図である。
【図７】本発明の変形例にかかるゴム部材の斜視図である。
【図８】本発明の変形例にかかるゴム部材の斜視図である。
【符号の説明】
【００３９】
１１ａ…アンテナ、１１…チューナ、１２…映像音声処理部、１４…ディスプレイ、１５…マイコン、１６…電源回路、２０…ゴム部材、２１…第１の片、２２…第２の片、２３…孔、２４…孔、２５…係止部分、２６…折れ曲がる部分、３０…スピーカ、３１…スピーカ本体部分、３２…取り付け部分、３３…クランク部分、３４…孔、４０…キャビネット、４１…前面キャビネット、、４２…後面キャビネット、４３…受けボス、４５…開口部、５０…脚部、６０…ネジ、７０…弾性部材、７１…第１の片、７２…第２の片、７３…孔、７４…孔、７５…係止部分、８０…弾性部材、８１…第１の片、８２…第２の片、８３…ネジ孔、８４…孔、８５…係止部分、１００…テレビジョン。
【図１】
2008258754.tif 000003
【図２】
2008258754.tif 000004
【図３】
2008258754.tif 000005
【図４】
2008258754.tif 000006
【図５】
2008258754.tif 000007
【図６】
2008258754.tif 000008
【図７】
2008258754.tif 000009
【図８】
2008258754.tif 000010